(57)【要約】      （修正有）【課題】信頼性が高く、通気性に優れ、快適性が高く、軽量の通気性クッションを提供する。【解決手段】通気性クッション１００は、大腿部支持部１０と、臀部支持部２０と、腰背中支持部３０とを含む。大腿部支持部１０は、開口構造を含む大腿部支持構造を複数含み、臀部支持部２０は、開口構造を含む臀部支持構造を複数含み、腰背中支持部３０は、開口構造を含む腰背中支持構造を複数含む。大腿部支持構造における開口構造の面積及び／又は腰背中支持構造における開口構造の面積は、臀部支持構造における開口構造の面積よりも大きい。クッション１００には、設計構造が人間工学に基づいており、合理的なサポートが得られる。【選択図】図１
0003230058.tif 000002
【実用新案登録請求の範囲】
【請求項１】
大腿部支持部と、臀部支持部と、腰背中支持部とを含む通気性クッションであって、
前記大腿部支持部は、開口構造を含む大腿部支持構造を複数含み、
前記臀部支持部は、開口構造を含む臀部支持構造を複数含み、
前記腰背中支持部は、開口構造を含む腰背中支持構造を複数含み、及び
単位面積当たりの前記大腿部支持構造の数及び／又は単位面積当たりの前記腰背中支持構造の数が単位面積当たりの臀部支持構造の数よりも少ないことを特徴とする通気性クッション。
【請求項２】
前記大腿部支持構造、前記臀部支持構造及び／又は前記腰背中支持構造の開口構造はハニカム状の開口であることを特徴とする請求項１に記載の通気性クッション。
【請求項３】
前記腰背中支持構造の少なくとも一部の開口構造は、さらに十字形の支持補強構造を含むことを特徴とする請求項１に記載の通気性クッション。
【請求項４】
前記大腿部支持部の上表面及び前記臀部支持部の上表面には、更に縦方向に貫通する縦方向の通気孔が複数含まれていることを特徴とする請求項１に記載の通気性クッション。
【請求項５】
前記クッションには、さらに横方向に前記大腿部支持及び前記臀部支持部を貫通する横方向の通気孔が含まれており、
当該横方向の通気孔は、縦方向の通気孔の少なくとも一部を大気と接続することを特徴とする請求項４に記載の通気性クッション。
【請求項６】
前記臀部支持部の上表面には、さらに突起部が複数含まれていることを特徴とする請求項１に記載の通気性クッション。  
【請求項７】
大腿部支持部の少なくとも一部の厚さが、前記臀部支持部の厚さより大きいことを特徴とする請求項１に記載の通気性クッション。
【請求項８】
腰背中支持部の少なくとも一部の厚さが、前記臀部支持部の厚さより大きいことを特徴とする請求項１に記載の通気性クッション。
【請求項９】
前記通気性クッションは、熱可塑性エラストマー材料を一体成形した通気性クッションであることを特徴とする請求項１に記載の通気性クッション。
【請求項１０】
前記通気性クッションはさらにクッション表面構造を含み、
前記クッション表面構造は、前記大腿部支持部、前記臀部支持部及び前記腰背中支持部の上部が互いに連結して形成されており、
前記クッション表面構造は、比較的滑らかな曲面となっていることを特徴とする請求項１に記載の通気性クッション。
【考案の詳細な説明】
【技術分野】
【０００１】
本考案は、日用品の技術分野、特に通気性クッションに関する。  
【背景技術】
【０００２】
社会の継続的な進歩に伴い、より多くの人々が毎日座ったり、オフィスに長時間座って仕事したり、レジャーや娯楽のためにコンピュータやテレビを見たりする時間が増えている。周知されたように、座った姿勢を長時間維持することは、人間の健康に有益ではなく、腰痛を感じることがよくある。
そのため、人々はクッションの使用を選択することが多く、長時間座り続けることが容易になる。
【０００３】
しかし、従来のクッションは人体をうまくサポートできないことが多く、蒸れやすく、通気性が悪くなりやすい。従って、人々はそれを使用するときに不快に感じることがよくある。
よって、上記の問題を解決するために、通気性クッションの開発が要求される。
【考案の概要】
【０００４】
従来技術の欠点を補うために、本出願は通気性クッションを提供する。当該クッションには、設計構造が人間工学に基づき、サポートが合理的で信頼性が高く、通気性が優れ、快適性が高く、軽量という利点がある。
【０００５】
本出願の一の態様は、大腿部支持部と、臀部支持部と、腰背中支持部とを含む通気性クッションを提供することである。大腿部支持部は、開口構造を含む大腿部支持構造を複数含み、臀部支持部は、開口構造を含む臀部支持構造を複数含み、腰背中支持部は、開口構造を含む腰背中支持構造を複数含む。単位面積当たりの大腿部支持構造の数及び／又は単位面積当たりの腰背中支持構造の数は、単位面積当たりの臀部支持構造の数よりも少ない。
【０００６】
いくつかの実施例において、大腿部支持構造、臀部支持構造及び／又は腰背中支持構造の開口構造はハニカム状の開口である。
いくつかの実施例において、腰背中支持構造の少なくとも一部の開口構造は、さらに十字形の支持補強構造を含む。
いくつかの実施例において、大腿部支持部の上表面及び臀部支持部の上表面には、縦方向に貫通する縦方向の通気孔が複数含まれている。
【０００７】
いくつかの実施例において、クッションには、さらに横方向に大腿部支持及び臀部支持部を貫通する横方向の通気孔が含まれており、当該横方向の通気孔は、縦方向の通気孔の少なくとも一部を大気と接続する。
【０００８】
いくつかの実施例において、臀部支持部の上表面には、さらに突起部が複数含まれている。
いくつかの実施例において、大腿部支持部の少なくとも一部の厚さが、臀部支持部の厚さより大きいである。
【０００９】
いくつかの実施例において、腰背中支持部の少なくとも一部の厚さが、臀部支持部の厚さより大きいである。
いくつかの実施例において、通気性クッションは、熱可塑性エラストマー材料を一体成形した通気性クッションである。
【００１０】
いくつかの実施例において、通気性クッションはさらにクッション表面構造を含み、クッション表面構造は、大腿部支持部、臀部支持部及び腰背中支持部の上部が互いに連結して形成されており、クッション表面構造は、比較的滑らかな曲面となっている。
【図面の簡単な説明】
【００１１】
図面に基づいて、本出願の実施形態を説明することにより、本願をよりよく理解できる。図において、
【図１】図１は本願の一の実施例における通気性クッションの概略図であり；
【図２】図２は本願の図１に示す実施例における通気性クッションの上面図であり；
【図３】図３は本願の図１に示す実施例における通気性クッションの底面図であり；
【図４】図４は本願の図１に示す実施例における通気性クッションの底部の部分拡大図であり；
【図５】図５は本願の図１に示す実施例における通気性クッションの他の底部の部分拡大図であり；
【図６】図６は本願のクッションに人が座っているときに、ＩＭＭ−００１４センサーによって測定された圧力分布の３Ｄ画像であり；
【図７】図７はＩＭＭ−００１４センサーに人が直接に座っているときに測定された圧力分布の３Ｄ画像である。
【考案を実施するための形態】
【００１２】
別段の定義がない限り、本明細書及び特許請求の範囲で使用される技術用語又は科学用語は、それらが属する技術分野の一般的なスキルを持つ者によって理解される通常の意味を持つものとする。本明細書に記載されている最低値から最高値までのすべての数値は、最低値と最高値の差が２単位以上である場合に、最低値と最高値の間で１単位の増分で取得されたすべての数値を指す。
【００１３】
以下では、特定の図面と併せて本願の具体的な実施形態を説明する。これらの実施形態に対する具体的な説明では、簡潔な説明を行うために、本明細書で実際の実施形態のすべての特徴を詳しく説明するのが不可能であることに留意されたい。
以下、図１〜図５と併せて、本願の一実施例をさらに説明する。
【００１４】
本願の一の実施例は図１〜図５に示すクッション１００に関わる。図１及び図２に示すように、当該クッション１００は熱可塑性エラストマー材料（ＴＰＥ）を一体成形したクッションであって、その表面が滑らかで、明らかな接続痕跡がなく、優れた支持性と高い快適性を備える。他のいくつかの実施例において、クッション１００は、ゴム、シリコーンなど、他の高弾性、高強度、高反発弾性の材料により形成されることができる。また、素材の特性に応じて、３Ｄプリントなど、他の方法で製造することもできる。
【００１５】
クッション１００は、大腿部支持部１０、臀部支持部２０及び腰背中支持部３０とを含む。大腿部支持部１０はクッション１００の前端に位置し、主に使用者の大腿部を支持するために使用される。臀部支持部２０は、クッション１００の中部に位置し、主に使用者の臀部を支持するために使用される。腰背中支持部３０は、クッション１００の後端に位置し、主に、使用者の臀部の後端及び腰背中の領域の少なくとも一部に一定の支持を与えるために使用される。
【００１６】
いくつかの具体的な実施例において、クッション１００は、さらにクッション表面構造４０を含み、クッション表面構造４０は、大腿部支持部１０、臀部支持部２０及び腰背中支持部３０の上部が互いに連結して形成されており、クッション表面構造４０は、比較的滑らかな曲面となっている。図１に示す実施例において、前記クッション表面構造４０は、厚さが２ｍｍであるＴＰＥ膜である。当該クッション１００の大腿部支持部１０、臀部支持部２０、腰背中支持部３０及びクッション表面構造４０は、いずれもＴＰＥ材料であり、かつ一体成型の方法で製造される。この方法で製造されたクッション１００は、クッション１００が受ける圧力をクッション表面構造４０全体に均等に分散させることができるので、座り心地がより快適になり、支持力が向上する。
【００１７】
図３に示すクッション１００の底面図を参照して、大腿部支持部１０は、開口構造を含む大腿部支持構造１１を複数含み、臀部支持部２０は、開口構造を含む臀部支持構造２１を複数含み、腰背中支持部３０は、開口構造を含む腰背中支持構造３１を複数含むことがわかる。大腿部支持構造１１、臀部支持構造２１及び腰背中支持構造３１は、それぞれ、対応する大腿部支持部１０、臀部支持部２０及び腰背中支持部３０に適当な支持力を提供する。前記開口構造は、円形、三角形、正方形、長方形、正五角形、正六角形、五芒星形などの構造とすることができる。
【００１８】
いくつかの具体的な実施例において、単位面積当たりの大腿部支持構造１１の数及び／又は単位面積当たりの腰背中支持構造３１の数は、単位面積当たりの臀部支持構造２１の数よりも少ない。
【００１９】
いくつかの具体的な実施例において、大腿部支持構造１１、臀部支持構造２１及び／又は腰背中支持構造３１の開口構造は、いずれもハニカム状の開口である。図３に示す実施例において、大腿部支持構造１１、臀部支持構造２１及び腰背中支持構造３１は、いずれもハニカム状の開口構造を含むハニカム状の支持構造である。
【００２０】
明らかに、単位面積当たりの大腿部支持構造１１の数及び／又は単位面積当たりの腰背中支持構造３１の数が単位面積当たりの臀部支持構造２１の数よりも少ないと、大腿部支持構造１１及び／又は腰背中支持構造３１が提供できる支持力は、臀部支持構造２１が提供できる支持力より小さい。言い換えれば、臀部支持構造２１が使用者に提供できる支持力は、大腿部支持構造１１及び／又は腰背中支持構造３１が提供できる支持力よりも大きく、実際の接触硬度の触感はより硬い。その理由は、人体の座圧分布領域の実験結果によると、使用者が座っているときは、重力の大部分が臀部にかかるため、適度な座り姿勢を維持するためには、臀部の位置で使用者により良い支持力を提供する必要があり、受けた力が最も大きい部分により密集な支持デザインを採用し、即ち、臀部支持部２０でより大きな支持力を提供し、圧力分布において人間の臀部の構造に応じて圧力をより緩和し、使用者の体をよりよく支持することができるのである。
【００２１】
図４に示す実施例の底面図の一部の拡大図を参照して、いくつかの具体的な実施例において、腰背中支持構造３１の少なくとも一部の開口構造は、さらに十字形の支持補強構造３２を含む。当該十字形の支持補強構造３２は、腰背中支持構造３１の支持力を向上させ、その形状をよりよく保持しながら使用者の体を支持することができる。
【００２２】
図１〜５に示す実施例において、大腿部支持部１０、臀部支持部２０及び腰背中支持部３０は、それぞれ異なる支持形式を採用し、大腿部、臀部及び腰背中にそれぞれ適切な支持力を提供し、使用者に合理的で快適な支持力を与えることができる。
【００２３】
いくつかの具体的な実施例において、大腿部支持部１０の上表面及び臀部支持部２０の上表面には、さらに縦方向に貫通する縦方向の通気孔４１が複数含まれている。前記縦方向に貫通する通気孔により、使用者の蒸れ感を効果的に軽減し、涼感を与えることができる。
【００２４】
図５に示す実施例の他の底面図の一部の拡大図を参照して、いくつかの具体的な実施例において、クッション１００には、さらに横方向に大腿部支持１０及び臀部支持部２０を貫通する横方向の通気孔４２が含まれており、横方向の通気孔４２は、縦方向の通気孔４１の少なくとも一部を大気と接続する。大気と接続することで、クッション１００の通気性をさらに向上させることができ、より快適な使用感を使用者に与えることができる。
【００２５】
いくつかの具体的な実施例において、臀部支持部２０の上表面には、さらに突起部４３が複数含まれている。当該突起部４３は、突起した円形状、三角形状、正方形状又はその他の形状であってもよい。図１〜図５に示す実施例において、円形状の突起部４３をとした。当該突起部４３は、使用者の臀部に作用する力をさらに分散させることができ、一定のマッサージ効果を有する。
【００２６】
いくつかの具体的な実施例において、大腿部支持部１０の少なくとも一部の厚さは、臀部支持部２０の厚さより大きいである。これにより、人体の最適の着座姿勢に必要な前方が高く、後方が低いという傾斜角度に到達できる。例えば、大腿部支持部１０の本体の厚さは４５ｍｍであり、臀部支持部２０の本体の厚さが３５ｍｍである。注意すべくことは、これは一例であり、大腿部支持部１０及び臀部支持部２０の厚さに対して限定するものではない。
【００２７】
また、大腿部支持部１０の中間には、使用者の大腿部の間に対応する部分にさらに鞍状の突起４４が設けられている。当該鞍状の突起４４は、使用者が正しい着座姿勢をとるように導くのを助ける。
【００２８】
いくつかの具体的な実施例において、腰背中支持部３０の少なくとも一部の厚さが、臀部支持部２０の厚さより大きいである。これにより、使用者の臀部の後側をある程度包み、使用者の腰背中に一定の支持力を提供する。 臀部の後側をある程度包むことは、 使用者が正しい着座姿勢をとるように導くことができ、使用者の腰背中に支持力を提供されることは、使用者の体の健康に有益である。
【００２９】
図１〜図５に示す実施例において、腰背中支持部３０の一部及び大腿部支持部１０の一部の厚さは、いずれも臀部支持部２０の厚さよりも大きく、クッション１００全体のデザインは、曲率が豊富で、全体として人間工学に基づいており、使用者に最高のサポートを提供できる。
【００３０】
本願の通気性クッションが、受けられた圧力をクッション表面全体に均等に分散できることを確認するために、アレイ型ピエゾ抵抗膜センサーＩＭＭ−００１４号のセンサーと、それに対応するイメージングソフトウェアＳＥＮＳＯＲＥＤＧＥを使用して、本願のクッションに人が座っているときの３Ｄ圧力分布図（図６に示す）を測定した。比較として、図７に示すように、人がセンサーに直接座っているときに測定された３Ｄ圧力分布図も測定した。図７から、人がセンサーに直接座っている場合、圧力分布は非常に不均一であり、センサーと接触している部分の圧力が最も高いことがわかる。図６から、本願のクッションに人が座っている場合、圧力分布は均一であることが分かる。最初の３Ｄ圧力分布図は異なる色を使用して圧力の大きさを示し、圧力は青、緑、黄、赤の順序で順に増加することに注意してください。図６及び図７は、色を表示できないが、グレースケールの違いから圧力を確認することもでき、グレースケールが大きいほど圧力が高くなる。
【００３１】
本明細書は、具体的な実施例（好ましい形態を含む）を使用して本願を説明し、本考案の技術に精通するすべての人が実験操作を実行するのに役立つが、その保護範囲を制限することを意図していない。
【符号の説明】
【００３２】
１００：クッション；
１０：大腿部支持部；
１１：大腿部支持構造；
２０：臀部支持部；
２１：臀部支持構造；
３０：腰背中支持部；
３１：腰背中支持構造；
３２：十字形の支持補強構造；
４０：クッション表面構造
４１：縦方向の通気孔；
４２：横方向の通気孔；
４３：突起部；
４４：鞍状の突起。
【図１】
0003230058.tif 000003
【図２】
0003230058.tif 000004
【図３】
0003230058.tif 000005
【図４】
0003230058.tif 000006
【図５】
0003230058.tif 000007
【図６】
0003230058.tif 000008
【図７】
0003230058.tif 000009